(57)【特許請求の範囲】
【請求項１】
網を張設した網枠に、
足場枠のブラケットに上方から係合するための掛止部と、
ブラケットの外周面に突出形成された嵌合部に挿入されて嵌合するための緊結部とを備えた踏板において、
前記緊結部の先端に嵌合部の周壁の上端に係合するための凹部を設けた踏板。
【請求項２】
前記網枠が長方形をなし、その両短片に緊結部をそれぞれ１個ずつ設けた請求項１に記載の踏板。
【請求項３】
前記凹部を略半円形状に形成した請求項１または請求項２に記載の踏板。
【発明の詳細な説明】
【０００１】
【発明の属する技術分野】
この発明は、例えば住宅などの建築物を建築する場合に、足場として使用される踏板に関するものである。
【０００２】
【従来の技術】
この種の踏板は、例えば建築作業などの足場として使用され、両端に足場枠のブラケットに固定するための固定部材を有している。これらの固定部材は前記ブラケットに作用して、踏板をブラケットに水平状態で組付けるためのものである。
【０００３】
ところで、建築作業を完了して足場を解体するには、足場枠のブラケットから足場としての踏板を取り外さなければならない。そこで、まず、ハンマーなどで踏板の一端を裏面側から叩いてこの一端側の前記固定部材をブラケットから外し、次いで他端側の固定部材を同様にして外していた。
【０００４】
【発明が解決しようとする課題】
ところが、この場合、先に外された踏板の一端側の位置が定まらず、足場の解体作業を困難にするという問題があった。
【０００５】
この発明は、このような従来の技術に存在する問題点に着目してなされたものである。その目的とするところは、足場の解体作業をする場合において、解体作業を容易に行うことができる踏板を提供することにある。
【０００６】
【課題を解決するための手段】
上記の目的を達成するために、請求項１に記載の踏板の発明では、網を張設した網枠に、足場枠のブラケットに上方から係合するための掛止部と、ブラケットの外周面に突出形成された嵌合部に挿入されて嵌合するための緊結部とを備えた踏板において、前記緊結部の先端に嵌合部の周壁の上端に係合するための凹部を設けたものである。
【０００７】
請求項２に記載の発明では、請求項１に記載の踏板において、網枠が長方形をなし、その両短片に緊結部をそれぞれ１個ずつ設けたものである。
請求項３に記載の発明では、請求項１または請求項２に記載の踏板において、凹部を略半円形状に形成したものである。
【０００８】
従って、請求項１に記載の踏板においては、足場の解体作業をする場合において、まず、例えばハンマーなどで踏板の網枠の一方を裏面側から叩いてブラケットから取り外し、取り外した掛止部をブラケットの外周面に上方から係合するとともに、取り外した緊結部の凹部をブラケットの嵌合部に嵌合して踏板の一端を仮止めする。次に、踏板の網枠の他方を裏面側からハンマーなどで叩くことにより、踏板の両端をブラケットから取り外して解体する。
【０００９】
このため、緊結部の凹部をブラケットの嵌合部に嵌合させることにより、足場の解体作業をする場合において、先に外した網枠の一端側の位置が安定しているため、解体作業を容易に行うことができる。
【００１０】
請求項２に記載の踏板においては、踏板の網枠の両端にそれぞれ緊結部と掛止部とが１個ずつ設けられているので、網枠を左右の都合のよい側から外すことができ、解体作業を能率よく行うことができる。
【００１１】
請求項３に記載の踏板においては、滑らかに湾曲するように形成された緊結部の凹部がブラケットの嵌合部に当接するため、凹部を嵌合部に嵌合したときに凹部の位置を調節することができるとともに、凹部を安定した状態で保持することができる。
【００１２】
【発明の実施の形態】
以下に、この発明の実施形態を図１〜図７に基づいて詳細に説明する。
図１に示すように、踏板１１の網枠１２は長方形状に形成され、その内部には網１３が張設されている。２本の四角筒状の支持管１７は網１３の裏面側に平行をなすように設けられ、２枚の支持板１８はさらにその裏面側で支持管１７に直交するように設けられている。網枠１２の両短片の端部には掛止部１４と緊結部１５とがそれぞれ１個ずつ固定されている。２個の掛止部１４はブラケット２０（図４に示す）の外周面に上方から引っ掛けて係合できるように鍵状に形成されるとともに、短片の同一側に設けられている。
【００１３】
図１〜図３に示すように、２個の緊結部１５はブラケット２０の嵌合部２１（図４に示す）に嵌合できるように突出形成され、基端側で溶接により網枠１２に固定されている。凹部１６は緊結部１５の先端に略半円形状に切欠かれて形成され、図６及び図７に示すように、凹部１６を嵌合部２０に嵌合することにより、緊結部１５が嵌合部２１に仮止め固定される。
【００１４】
図４に示すように、円筒状の支柱１９に組付けられたブラケット２０の外周面に掛止部１４を係合するとともに、嵌合部２１に緊結部１５を嵌合して踏板１１の両端をブラケット２０に組付けた状態で固定することにより、踏板１１は建築作業の足場として使用される。
【００１５】
次に、前記のように構成された踏板１１について、作用を説明する。
さて、図４に示すような状態において、足場を解体する場合には、まず、ハンマー（図示しない）などで踏板１１の網枠１２の一方の短片を裏面側から叩いて、ブラケット２０から一方の短片側の掛止部１４と緊結部１５とを取り外す。
【００１６】
次に、図５に示すように、取り外した側の掛止部１４をブラケット２０の外周面に上方から再び係合して仮止めするとともに、図５〜図７に示すように、緊結部１５の凹部１６を嵌合部２１に嵌合させることにより、踏板１１の一端をブラケット２０に仮止めする。この場合、滑らかに湾曲するように形成された凹部１６が嵌合部２１に当接するため、凹部１６の位置を調節することができるとともに、凹部１６を安定した状態で保持することができる。
【００１７】
さらに、図５に示すような状態において、踏板１１の網枠１２の他方の短片を裏面側からハンマーなどで叩いて、ブラケット２０から他方の短片側の掛止部１４と緊結部１５とを取り外すことにより、踏板１１の両端をブラケット２０から取り外して解体する。この場合、前述した掛止部１４及び凹部１６により、踏板１１の一端がブラケット２０に安定した状態で仮止めされているので、踏板１１の網枠１２の他端を裏面側から叩いても、踏板１１がブラケット２０から落ちることがない。
【００１８】
この実施形態によって発揮される効果について、以下に記載する。
・緊結部１５の凹部１６をブラケット２０の嵌合部２１に嵌合させることにより、足場の解体作業をする場合において、先に外した短片側の位置が安定しているため、解体作業を容易に行うことができる。
・網枠１２の両端にそれぞれ緊結部１５と掛止部１４とが１個ずつ設けられているので、網枠１２を左右の都合のよい側から外すことができ、解体作業を能率よく行うことができる。
・滑らかに湾曲するように形成された緊結部１５の凹部１６がブラケット２０の嵌合部２１に当接するため、凹部１６をブラケット２０の嵌合部２１に嵌合したときに凹部１６の位置を調節することができるとともに、凹部１６を安定した状態で保持することができる。
【００１９】
なお、前記実施形態を次のように変更して具体化することも可能である。
・前記凹部１６を略三角形状、略四角形状又は略半楕円形状などに形成して適宜に変更すること。
【００２０】
このように構成しても、凹部１６を嵌合部２１に嵌合して踏板１１をブラケット２０に仮止めすることができる。
・前記緊結部１５を網枠１２の両短片の対角線位置にそれぞれ設けること。
【００２１】
このように構成した場合でも、緊結部１５が網枠１２の両短片の同一側にそれぞれ設けられた場合と同様の効果を得ることができる。
【００２２】
【発明の効果】
この発明は、以上のように構成されているため、次のような効果を奏する。
請求項１に記載の発明によれば、緊結部の凹部をブラケットの嵌合部に嵌合させることにより、足場の解体作業をする場合において、先に外した網枠の一端側の位置が安定しているため、解体作業を容易に行うことができる。
【００２３】
請求項２に記載の発明によれば、請求項１に記載の発明の効果に加え、踏板の網枠の両端にそれぞれ緊結部と掛止部とが１個ずつ設けられているので、網枠を左右の都合のよい側から外すことができ、解体作業を能率よく行うことができる。
【００２４】
請求項３に記載の発明によれば、請求項１または請求項２に記載の発明の効果に加え、滑らかに湾曲するように形成された緊結部の凹部がブラケットの嵌合部に当接するため、凹部を嵌合部に嵌合したときに凹部の位置を調節することができるとともに、凹部を安定した状態で保持することができる。
【図面の簡単な説明】
【図１】  この発明の実施形態の踏板を示す斜視図。
【図２】  この発明の実施形態の踏板の緊結部の状態を示す正面図。
【図３】  図２の３−３線における断面図。
【図４】  この発明の踏板をブラケットに固定した状態を示す斜視図。
【図５】  ブラケットの嵌合部に踏板の凹部を嵌合した状態を示す斜視図。
【図６】  ブラケットの嵌合部に踏板の凹部を嵌合した状態を示す平面図。
【図７】  ブラケットの嵌合部に踏板の凹部を嵌合した状態を示す断面図。
【符号の説明】
１１…踏板、１２…網枠、１３…網、１４…掛止部、１５…緊結部、１６…凹部、２０…ブラケット、２１…嵌合部。
【図１】
0003946802.tif 000002
【図２】
0003946802.tif 000003
【図３】
0003946802.tif 000004
【図４】
0003946802.tif 000005
【図５】
0003946802.tif 000006
【図６】
0003946802.tif 000007
【図７】
0003946802.tif 000008